(57)【要約】【課題】エラーの原因が容易に確認でき、従来よりも少ない手順でエラーを解除できる通信装置を提供する。【解決手段】情報を入力し宛先を指定し送信に関する設定を入力するための操作部と、前記操作部を介して入力された情報を指定された宛先に送信する送信部と、前記操作部を介して送信に関する設定を受け付ける送信設定部と、予め定められた設定画面およびメッセージを表示する表示部と、前記操作部、前記送信部、前記送信設定部および前記表示部を制御する制御部とを備え、前記制御部は、前記送信設定部が第１の送信に関する設定をすでに受け付けている場合に、前記操作部から第２の送信に関する設定が入力された場合、前記第２の送信に関する設定が、前記第１の送信に関する設定と同時に設定可能か否かを判定し、同時に設定可能でないと判定した場合、エラーが生じた旨を前記表示部に表示させた後、前記エラーが生じる前の画面に戻さず、前記エラーの解除に関連する設定画面を表示させることを特徴とする。【選択図】図５
2020195111.tif 000002
【特許請求の範囲】
【請求項１】
情報を入力し宛先を指定し送信に関する設定を入力するための操作部と、
前記操作部を介して入力された情報を指定された宛先に送信する送信部と、
前記操作部を介して送信に関する設定を受け付ける送信設定部と、
予め定められた設定画面およびメッセージを表示する表示部と、
前記操作部、前記送信部、前記送信設定部および前記表示部を制御する制御部とを備え、
前記制御部は、前記送信設定部が第１の送信に関する設定をすでに受け付けている場合に、前記操作部から第２の送信に関する設定が入力された場合、前記第２の送信に関する設定が、前記第１の送信に関する設定と同時に設定可能か否かを判定し、
同時に設定可能でないと判定した場合、エラーが生じた旨を前記表示部に表示させた後、前記エラーが生じる前の画面に戻さず、前記エラーの解除に関連する設定画面を表示させることを特徴とする通信装置。
【請求項２】
前記制御部は、前記エラーの解除に関連する設定画面として、前記第２の送信に関する設定に対応した設定画面を表示させる請求項１に記載の通信装置。
【請求項３】
前記制御部は、前記エラーの解除に関連する設定画面において、前記エラーの解除設定を受け付ける請求項１または２に記載の通信装置。
【請求項４】
前記制御部は、前記第２の送信に関する設定が、前記第１の送信に関する設定と同時に設定可能でないと判定した場合、予め定められた判定基準に従って、前記第２の送信に関する設定からエラーの内容をユーザーが連想可能か否かを判定し、
前記第２の送信に関する設定からエラーの内容をユーザーが連想可能でないと判定した場合、エラーが生じた旨を前記表示部に表示させた後、前記エラーの解除に関連する設定画面を表示させる請求項１〜３のいずれか１つに記載の通信装置。
【請求項５】
前記制御部は、前記第２の送信に関する設定で入力された内容が、電話番号、ＦＡＸ番号、Ｅメールアドレス、ＩＰアドレスまたはＵＲＬを含む場合、前記第２の送信に関する設定からエラーの内容をユーザーが連想可能でないと判定する請求項４に記載の通信装置。
【請求項６】
情報を入力し宛先を指定し送信に関する設定を入力する操作ステップと、
前記操作ステップにおいて送信に関する設定を受け付ける送信設定ステップと、
予め定められた設定画面およびメッセージを表示する表示ステップと、
前記操作ステップにおいて入力された情報を指定された宛先に送信する送信ステップとを有し、
前記送信設定ステップにおいて、第１の送信に関する設定がすでに受け付けられている場合に、前記操作ステップにおいて、第２の送信に関する設定が入力された場合、前記第２の送信に関する設定が、前記第１の送信に関する設定と同時に設定可能か否かを判定し、
同時に設定可能でないと判定した場合、前記表示ステップにおいて、エラーが生じた旨を表示した後、前記エラーが生じる前の画面に戻さず、前記エラーの解除に関連する設定画面を表示させることを特徴とする通信装置の制御方法。
【請求項７】
通信装置のプロセッサに、
情報を入力し宛先を指定し送信に関する設定を入力する操作ステップと、
前記操作ステップにおいて送信に関する設定を受け付ける送信設定ステップと、
予め定められた設定画面およびメッセージを表示する表示ステップと、
前記操作ステップにおいて入力された情報を指定された宛先に送信する送信ステップとを実行させる通信制御プログラムであって、
前記送信設定ステップにおいて、第１の送信に関する設定がすでに受け付けられている場合に、前記操作ステップにおいて、第２の送信に関する設定が入力された場合、前記第２の送信に関する設定が、前記第１の送信に関する設定と同時に設定可能か否かを判定し、
同時に設定可能でないと判定した場合、前記表示ステップにおいて、エラーが生じた旨を表示した後、前記エラーが生じる前の画面に戻さず、前記エラーの解除に関連する設定画面を表示させることを特徴とする通信制御プログラム。
【請求項８】
通信装置のプロセッサに、
情報を入力し宛先を指定し送信に関する設定を入力する操作ステップと、
前記操作ステップにおいて送信に関する設定を受け付ける送信設定ステップと、
予め定められた設定画面およびメッセージを表示する表示ステップと、
前記操作ステップにおいて入力された情報を指定された宛先に送信する送信ステップとを実行させる通信プログラムを記録したコンピュータ読み取り可能な記録媒体であって、
前記送信設定ステップにおいて、第１の送信に関する設定がすでに受け付けられている場合に、前記操作ステップにおいて、第２の送信に関する設定が入力された場合、前記第２の送信に関する設定が、前記第１の送信に関する設定と同時に設定可能か否かを判定し、
同時に設定可能でないと判定した場合、前記表示ステップにおいて、エラーが生じた旨を表示した後、前記エラーが生じる前の画面に戻さず、前記エラーの解除に関連する設定画面を表示させることを特徴とするコンピュータ読み取り可能な記録媒体。
【発明の詳細な説明】
【技術分野】
【０００１】
この発明は、通信装置、通信装置の制御方法、通信制御プログラムおよび記録媒体に関する。
【背景技術】
【０００２】
ファクシミリ装置や電子メール機器に代表される情報通信装置において、設定可能な複数の機能のうち、「直接送信」と「グループ宛先」といった、組合せ設定が不可能な機能組合せが存在する場合がある。
設定の組合せが不可能だった場合は、ユーザーにその旨を知らせ、適切な設定変更を行わせる必要がある。
【０００３】
従来、このような装置として、組合せて設定することが不可能な複数の機能が設定された場合に、組合せ不可能なトリガになった機能と、既に設定済みの機能に記号を付けた、機能一覧画面を表示する画像形成装置が開示されている（例えば、特許文献１を参照）。
【先行技術文献】
【特許文献】
【０００４】
【特許文献１】特開２０００−２７６０１０号公報
【発明の概要】
【発明が解決しようとする課題】
【０００５】
しかしながら、従来の技術は、機能一覧画面を表示する必要があるため、画面表示のサイズが限られている装置において、組み合わせて設定することが不可能な複数の機能が設定された場合には適用できなかった。
【０００６】
この発明は、以上のような事情を考慮してなされたものであって、その目的は、エラーの原因が容易に確認でき、従来よりも少ない手順でエラーを解除できる通信装置、通信装置の制御方法、通信制御プログラムおよび記録媒体を提供することを目的とする。
【課題を解決するための手段】
【０００７】
（１）この発明は、情報を入力し宛先を指定し送信に関する設定を入力するための操作部と、前記操作部を介して入力された情報を指定された宛先に送信する送信部と、前記操作部を介して送信に関する設定を受け付ける送信設定部と、予め定められた設定画面およびメッセージを表示する表示部と、前記操作部、前記送信部、前記送信設定部および前記表示部を制御する制御部とを備え、前記制御部は、前記送信設定部が第１の送信に関する設定をすでに受け付けている場合に、前記操作部から第２の送信に関する設定が入力された場合、前記第２の送信に関する設定が、前記第１の送信に関する設定と同時に設定可能か否かを判定し、同時に設定可能でないと判定した場合、エラーが生じた旨を前記表示部に表示させた後、前記エラーが生じる前の画面に戻さず、前記エラーの解除に関連する設定画面を表示させることを特徴とする通信装置を提供する。
また、この発明は、情報を入力し宛先を指定し送信に関する設定を入力する操作ステップと、前記操作ステップにおいて送信に関する設定を受け付ける送信設定ステップと、予め定められた設定画面およびメッセージを表示する表示ステップと、前記操作ステップにおいて入力された情報を指定された宛先に送信する送信ステップとを有し、前記送信設定ステップにおいて、第１の送信に関する設定がすでに受け付けられている場合に、前記操作ステップにおいて、第２の送信に関する設定が入力された場合、前記第２の送信に関する設定が、前記第１の送信に関する設定と同時に設定可能か否かを判定し、同時に設定可能でないと判定した場合、前記表示ステップにおいて、エラーが生じた旨を表示した後、前記エラーが生じる前の画面に戻さず、前記エラーの解除に関連する設定画面を表示させることを特徴とする通信装置の制御方法を提供する。
また、この発明は、通信装置のプロセッサに、情報を入力し宛先を指定し送信に関する設定を入力する操作ステップと、前記操作ステップにおいて送信に関する設定を受け付ける送信設定ステップと、予め定められた設定画面およびメッセージを表示する表示ステップと、前記操作ステップにおいて入力された情報を指定された宛先に送信する送信ステップとを実行させる通信制御プログラムであって、前記送信設定ステップにおいて、第１の送信に関する設定がすでに受け付けられている場合に、前記操作ステップにおいて、第２の送信に関する設定が入力された場合、前記第２の送信に関する設定が、前記第１の送信に関する設定と同時に設定可能か否かを判定し、同時に設定可能でないと判定した場合、前記表示ステップにおいて、エラーが生じた旨を表示した後、前記エラーが生じる前の画面に戻さず、前記エラーの解除に関連する設定画面を表示させることを特徴とする通信制御プログラムを提供する。
また、この発明は、通信装置のプロセッサに、情報を入力し宛先を指定し送信に関する設定を入力する操作ステップと、前記操作ステップにおいて送信に関する設定を受け付ける送信設定ステップと、予め定められた設定画面およびメッセージを表示する表示ステップと、前記操作ステップにおいて入力された情報を指定された宛先に送信する送信ステップとを実行させる通信プログラムを記録したコンピュータ読み取り可能な記録媒体であって、前記送信設定ステップにおいて、第１の送信に関する設定がすでに受け付けられている場合に、前記操作ステップにおいて、第２の送信に関する設定が入力された場合、前記第２の送信に関する設定が、前記第１の送信に関する設定と同時に設定可能か否かを判定し、同時に設定可能でないと判定した場合、前記表示ステップにおいて、エラーが生じた旨を表示した後、前記エラーが生じる前の画面に戻さず、前記エラーの解除に関連する設定画面を表示させることを特徴とするコンピュータ読み取り可能な記録媒体を提供する。
【０００８】
この発明において、「通信装置」は、ネットワークを介して文字データまたは画像データを所定の宛先に送信する機能を有する装置である。
例えば、ファクシミリ装置や、電子メール送信機能またはデータ送信機能を有するパーソナルコンピュータ（ＰＣ）などがあげられる。
【０００９】
この発明の「表示部」は、表示パネル８０によって実現される。また、この発明の「送信部」は、回線制御部６０およびモデム６２の協働によって実現される。
【発明の効果】
【００１０】
この発明によれば、同時設定できない２つの送信設定がなされた場合、エラーが生じた旨を前記表示部に表示させた後、前記エラーが生じる前の画面に戻さず、前記エラーの解除に関連する設定画面を表示させるため、エラーの原因が容易に確認でき、従来よりも少ない手順でエラーを解除できる通信装置、通信装置の制御方法、通信制御プログラムおよび記録媒体を実現できる。
【００１１】
さらに、この発明の好ましい態様について説明する。
【００１２】
（２）前記制御部は、前記エラーの解除に関連する設定画面として、前記第２の送信に関する設定に対応した設定画面を表示させるものであってもよい。
【００１３】
このようにすれば、前記エラーの解除に関連する設定画面として、前記第２の送信に関する設定に対応した設定画面を表示させるため、エラーの原因が容易に確認でき、従来よりも少ない手順でエラーを解除できる通信装置を実現できる。
【００１４】
（３）前記制御部は、前記エラーの解除に関連する設定画面において、前記エラーの解除設定を受け付けるものであってもよい。
【００１５】
このようにすれば、前記エラーの解除に関連する設定画面において、前記エラーの解除設定を受け付けるため、エラーの原因が容易に確認でき、従来よりも少ない手順でエラーを解除できる通信装置を実現できる。
【００１６】
（４）前記制御部は、前記第２の送信に関する設定が、前記第１の送信に関する設定と同時に設定可能でないと判定した場合、予め定められた判定基準に従って、前記第２の送信に関する設定からエラーの内容をユーザーが連想可能か否かを判定し、前記第２の送信に関する設定からエラーの内容をユーザーが連想可能でないと判定した場合、エラーが生じた旨を前記表示部に表示させた後、前記エラーの解除に関連する設定画面を表示させるものであってもよい。
【００１７】
このようにすれば、前記第２の送信に関する設定からエラーの内容をユーザーが連想可能でないと判定した場合、エラーが生じた旨を前記表示部に表示させた後、前記エラーの解除に関連する設定画面を表示させるため、エラーの原因が容易に確認でき、従来よりも少ない手順でエラーを解除できる通信装置を実現できる。
【００１８】
（５）前記制御部は、前記第２の送信に関する設定で入力された内容が、電話番号、ＦＡＸ番号、Ｅメールアドレス、ＩＰアドレスまたはＵＲＬを含む場合、前記第２の送信に関する設定からエラーの内容をユーザーが連想可能でないと判定するものであってもよい。
【００１９】
なお、「電話番号、ＦＡＸ番号、Ｅメールアドレス、ＩＰアドレスまたはＵＲＬ」に限られず、ユーザーが設定しようとした入力内容が実際に設定される内容をすぐに連想できない数字・文字・記号の組合せの場合であってもよい。
【００２０】
このようにすれば、前記第２の送信に関する設定で入力された内容が、電話番号、ＦＡＸ番号、Ｅメールアドレス、ＩＰアドレスまたはＵＲＬを含む場合、前記第２の送信に関する設定からエラーの内容をユーザーが連想可能でないと判定するため、エラーの原因が容易に確認でき、従来よりも少ない手順でエラーを解除できる通信装置を実現できる。
【図面の簡単な説明】
【００２１】
【図１】この発明の第１実施形態に係るファクシミリ装置から構成された通信システムの構成図である。
【図２】図１のファクシミリ装置の概略構成を示すブロック図である。
【図３】図２の操作部を示す説明図である。
【図４】図１の送信側ファクシミリ装置と受信側ファクシミリ装置との間におけるファクシミリ通信手順を示すシーケンス図である。
【図５】図１の送信側ファクシミリ装置の画面遷移処理の一例を示すフローチャートである。
【図６】この発明の第２実施形態に係る送信側ファクシミリ装置の画面遷移処理を示すフローチャートである。
【発明を実施するための形態】
【００２２】
以下、図面を用いてこの発明をさらに詳述する。
なお、以下の説明は、すべての点で例示であって、この発明を限定するものと解されるべきではない。
【００２３】
〔第１実施形態〕
図１〜図３に基づき、この発明の通信装置の一実施形態であるファクシミリ装置１０ａ〜１０ｃから構成された通信システム１について説明する。
【００２４】
図１は、この発明の第１実施形態に係るファクシミリ装置１０ａ〜１０ｃから構成された通信システム１の構成図である。
【００２５】
なお、この発明は、ファクシミリ装置１０ａ〜１０ｃから構成された通信システム１に限定されるものではなく、例えば、電子メール送信機能やデータ送信機能等の通信機能を備えたすべてのシステムに適用可能である。
【００２６】
通信システム１は、ファクシミリ装置１０ａ，１０ｂ，１０ｃから構成される。
ファクシミリ装置１０ａは、データ送信側（発呼側）のファクシミリ装置である。
ファクシミリ装置１０ｂは、データ受信側（被呼側）のファクシミリ装置である。
ファクシミリ装置１０ｃは、今回の送受信に関係ないファクシミリ装置である。
ファクシミリ装置１０ａ，１０ｂ，１０ｃは、公衆回線網３０（一般公衆電話回線）に接続されており、ファクシミリ画像データの送受信が可能となっている。
【００２７】
図２は、第１実施形態に係るファクシミリ装置１０ａ〜１０ｃの構成を示すブロック図である。
なお、ファクシミリ装置１０ａ，１０ｂ，１０ｃは共通の構成を有するため、以下では、ファクシミリ装置１０として説明する。
【００２８】
図２を参照して、ファクシミリ装置１０の機能構成について説明する。
ファクシミリ装置１０は、制御部５０、ＨＤＤ（Ｈａｒｄ  Ｄｉｓｋ  Ｄｒｉｖｅ）５２、操作部５４、スキャナ部５５、画像処理部５６、プリンタ部を構成する画像メモリ５７および画像形成部５８、送信設定部５９、回線制御部６０、モデム６２、ＣＩ（Ｃａｌｌｉｎｇ  Ｉｎｄｉｃａｔｏｒ）検出部６４、ＬＡＮ（Ｌｏｃａｌ  Ａｒｅａ  Ｎｅｔｗｏｒｋ）インターフェース（ＬＡＮ  Ｉ／Ｆ）６６、並びに、電源制御部６７を含む。
【００２９】
以下、ファクシミリ装置１０の各構成要素を説明する。
【００３０】
制御部５０は、実質的にコンピュータであって、ＣＰＵ７０、ＲＯＭ７２、および、ＲＡＭ７４を含む。
【００３１】
ＣＰＵ７０には、ＢＵＳライン７６が接続されており、このＢＵＳライン７６には、ＲＯＭ７２、および、ＲＡＭ７４が電気的に接続される。
ＣＰＵ７０は、操作部５４等からの指示に応じて各種コンピュータプログラムを実行することによって、ファクシミリ装置１０の各部の動作等の所望の処理を実行する。
【００３２】
上記の各種コンピュータプログラムは、予めＲＯＭ７２またはＨＤＤ５２に記憶されており、所望の処理の実行時において、当該ＲＯＭ７２またはＨＤＤ５２から読出されてＲＡＭ７４に転送される。
【００３３】
ＣＰＵ７０は、ＣＰＵ７０内の図示しないプログラムカウンタと呼ばれるレジスタに格納された値によって指定される、ＲＡＭ７４内のアドレスからプログラムの命令を読出し、解釈する。
【００３４】
ＣＰＵ７０はまた、読出された命令によって指定されるアドレスから演算に必要なデータを読出し、そのデータに対し命令に対応する演算を実行する。
実行の結果も、ＲＡＭ７４、ＨＤＤ５２およびＣＰＵ７０内のレジスタ等の、命令によって指定されるアドレスに格納される。
【００３５】
ＢＵＳライン７６には、さらに、ＨＤＤ５２、操作部５４、スキャナ部５５、画像処理部５６、画像メモリ５７、画像形成部５８、回線制御部６０、モデム６２、ＣＩ検出部６４、ＬＡＮ  Ｉ／Ｆ６６、および、電源制御部６７が電気的に接続される。
【００３６】
ＨＤＤ５２は、磁気記憶媒体を備え、画像データ、並びに、通信相手先のファックス番号およびメールアドレス等の、ファクシミリ装置１０の設置先にて登録される登録データを記憶する。
これらの登録データは、ファクシミリ装置１０の管理者または管理者とは異なるユーザーによって、ファクシミリ装置１０が有する複数の機能を実行するために、操作部５４に対する入力操作等によって登録される。
【００３７】
操作部５４は、図３に示すように、各種ハードキーを備える操作パネル７８を含む。
上記各種ハードキーは、通信相手先のファックス番号およびコピー枚数等の設定値等を入力するためのテンキー、電源オンおよび電源オフを指示するための電源キー、各種ジョブの開始を指示するためのスタートキー、並びに、システム設定キー等を含む。
管理者は、システム設定キーを押下することで、通信相手先のファックス番号およびメールアドレス等の宛先登録、内蔵時計の時刻設定等の初期設定、並びに、ファクシミリ装置１０の初期化等の機能を利用することができる。
【００３８】
操作部５４はさらに、液晶ディスプレイ（ＬＣＤ：Liquid Crystal Display）とタッチパネルとを重ねて構成される表示パネル８０を含む。
表示パネル８０は、ユーザーに対して対話的な操作インターフェースを提供する。
操作部５４は、操作パネル７８の各種ハードキーまたは表示パネル８０のタッチパネルからファクシミリ装置１０全体の動作に対するユーザーの指示を受付けて、その指示の内容を表示パネル８０のＬＣＤ上に表示するとともに、その指示に応じた制御信号を制御部５０または画像処理部５６のＭＰＵ（Micro Processing Unit、図示せず。）等に対して出力する。
【００３９】
なお、操作部５４の表示パネル８０は、ＬＣＤとタッチパネルで構成される場合も多いが、第１実施形態では、簡略化のため、操作パネル７８上のハードキーで指示するシステムを例示している。
ただし、これは、この発明を限定するものではなく、タッチパネルによって画面遷移の指示を行うものであってもよい。
【００４０】
スキャナ部５５は、光源を含む原稿走査ユニット、反射ミラー、光学レンズおよびＣＣＤ（Charge-Coupled Device）ラインセンサ（以上いずれも図示せず。）を含む。
原稿走査ユニットは、ユーザーによって手動で、または、自動原稿搬送装置（図示せず。）によって、原稿載置台（図示せず。）上に載置された原稿の画像表面に対し光源から光を照射することによって反射光像を得る。
反射ミラーおよび光学レンズは、得られる反射光像をＣＣＤラインセンサ上に結像させる。ＣＣＤラインセンサは、結像された反射光像を順次光電変換して画像データとして画像処理部５６に対して出力する。
【００４１】
画像処理部５６は、ＭＰＵ（図示せず。）を含む。
画像処理部５６は、スキャナ部５５から受信する画像データに対して、例えば、ラスタライズ処理等の所定の画像処理を含む各種処理を施して所定の階調の印刷データを作成し、画像メモリ５７に対して出力する。
【００４２】
画像メモリ５７は、ＲＡＭを含み、印刷データをページ単位で一時的に記憶する。
画像メモリ５７は、制御部５０等からの指示に応じて、画像形成部５８に送信するための、画像処理部５６から入力される印刷データ、または、外部装置から送信される印刷データをページ単位で一時的に記憶し、記憶した印刷データを画像形成部５８による画像形成に同期して、画像形成部５８に対して出力する。
【００４３】
画像形成部５８は、感光体ドラム、帯電器、ＬＳＵ（Laser Scanning Unit）、現像装置、転写装置、クリーニング装置および定着装置（以上いずれも図示せず。）、並びに、ファクシミリ装置１０に着脱自在に装着されるトナーカートリッジを含む。
画像形成部５８は、さらに、ファクシミリ装置１０に着脱自在に装着される、手差し給紙トレイ、第１給紙トレイおよび第２給紙トレイ（以上いずれも図示せず。）を含む。
【００４４】
これらの給紙トレイは、この順で上下に並ぶように設置され、記録用紙を保持し、用紙搬送部（図示せず。）に記録用紙を送給する。
手差し給紙トレイは、ユーザーが手動により所望の記録用紙を設置するためのトレイであり、第１給紙トレイおよび第２給紙トレイは、例えば、異なる大きさの記録用紙を保持するためのトレイである。
【００４５】
画像形成部５８は、制御部５０等からの指示に応じて、上記給紙トレイのいずれかから用紙搬送部を介して搬送される記録用紙上に、画像メモリ５７から送信される印刷データに基づく画像を印刷する。
【００４６】
送信設定部５９は、送信先のアドレスの設定など、送信に関する設定を受け付ける部分である。
【００４７】
回線制御部６０は、アナログ回線である公衆回線網３０とインターフェースをとるハードウェア回路である。
公衆回線網３０には、ファクシミリ装置１０とのファクシミリ通信が可能な外部のファクシミリ装置等の複数の外部装置が接続されている。
【００４８】
回線制御部６０は、制御部５０からの指示に応じて、公衆回線網３０の閉結および開放を制御する回線制御を行なうとともに、必要に応じてモデム６２と公衆回線網３０とを接続する。
回線制御部６０はさらに、公衆回線網３０に接続される通信相手先の外部装置を呼出すために、通信相手先のファックス番号に応じたダイヤル信号を通信相手に対して送出する。
【００４９】
モデム６２は、ファクシミリ通信が可能なファクシミリモデムを含み、回線制御部６０を介して公衆回線網３０と接続される。
モデム６２は、通信相手に対して送信するためのデジタルデータをアナログデータに変換して回線制御部６０を介して公衆回線網３０に送出する。
モデム６２はさらに、通信相手から回線制御部６０を介して受信したアナログデータをデジタルデータに変換して復調する。
復調された画像データは、符号化／復号部（図示せず。）によって復号された後、画像メモリ５７に対して出力される。
【００５０】
ＣＩ検出部６４は、公衆回線網３０に接続される外部装置からの呼出信号（ＣＩ信号）を検出し、その検出結果を制御部５０に通知する。
制御部５０は、ＣＩ信号を所定時間検出したと判断すると、モデム６２を通じて公衆回線網３０を捕捉するために、回線制御部６０に対し、公衆回線網３０を閉結するように指示する。
公衆回線網３０が捕捉されると、モデム６２によってファクシミリ通信が行なわれる。
【００５１】
ＬＡＮ  Ｉ／Ｆ６６は、ネットワーク２０とのインターフェースをとる。
ファクシミリ装置１０は、このＬＡＮ  Ｉ／Ｆ６６を介して、ネットワーク２０上の各種外部装置と、所定の通信プロトコルに従ったデータ通信を行なうことができる。
【００５２】
電源制御部６７は、外部電源６８と電気的に接続される。
電源制御部６７は、ファクシミリ装置１０の各部の動作に必要な電力を外部電源６８から取得し、取得した電力をファクシミリ装置１０の各部に供給する。
【００５３】
ファクシミリ装置１０は、上述した各部を動作させることによって、操作部５４からのユーザーの入力操作による指示または外部装置からの指示に応じて、原稿画像を読取り記録用紙に印刷するコピーモード、外部装置から送信される印刷データを受信して記録用紙に印刷するプリンタモード、および、原稿画像を読取り外部装置に送信するスキャナモード等の各種のモードのいずれかを実行する。
【００５４】
次に、図１のファクシミリ装置１０ａ、１０ｂ間での通信手順について説明する。
図４は、送信側ファクシミリ装置１０ａと受信側ファクリミリ装置１０ｂとの間におけるファクシミリ通信手順を示すシーケンス図である。
送信側ファクシミリ装置と受信側ファクシミリ装置は、ＩＴＵ−Ｔ勧告Ｖ．２１に規定される手順にて通信（Ｇ３通信）を行うものとするが、これに限定されるわけではない。
【００５５】
送信側ファクシミリ装置１０ａから受信側ファクシミリ装置１０ｂに対してデータを送信する場合、最初に送信側ファクシミリ装置１０ａから受信側ファクシミリ装置１０ｂに対し、ダイヤリングが行われて通信接続し、コーリングトーン（ＣＮＧ：Calling Tone）が送信される。
【００５６】
受信側ファクシミリ装置１０ｂがＩＴＵ−Ｔ勧告のＶ．２１の手順に従う装置であれば、受信側ファクシミリ装置１０ｂは、送信側ファクシミリ装置１０ａからのコーリングトーンを検出すると、まず被呼局識別信号（ＣＥＤ：Called Station Identification signal）を送出する。
【００５７】
続いて、自装置の製造メーカ情報を含む非標準機能信号（ＮＳＦ：Non-Standard Facilities signal）と、自装置の電話番号を含む被呼装置識別信号（ＣＳＩ：Called Subscriber Identification signal）と、伝送速度や最大受信幅などの自装置の性能情報を含むデジタル識別信号（ＤＩＳ：Digital Transmit Command signal）とを送出することによって、自装置の機能を送信側ファクシミリ装置１０ａへ知らせる。
【００５８】
すると、これらの信号に応答して、送信側ファクシミリ装置１０ａが、自装置の電話番号を含む送信装置識別信号（ＴＳＩ：Transmitting Subscriber Identification signal）と、伝送速度や最大受信幅などの自装置の性能情報を含むデジタル命令信号（ＤＣＳ：Digital Command Signal）とを送出することによって、自装置の機能を受信側ファクシミリ装置１０ｂへ知らせる。
自装置の製造メーカ情報を含む非標準手順信号（ＮＳＳ：Non-Standard facilities Set-up）も受信側ファクシミリ装置１０ｂへ知らせる場合がある。
【００５９】
続いて、送信側ファクシミリ装置１０ａから送信されたトレーニングチェック信号（ＴＣＦ：Training Check signal）を受信側ファクシミリ装置１０ｂが受信すると、受信準備確認信号（ＣＦＲ：Confirmation to Receive signal）が受信側ファクシミリ装置１０ｂから送信側ファクシミリ装置１０ａに返信される。
【００６０】
送信側ファクシミリ装置１０ａは、受信側ファクシミリ装置１０ｂからＣＦＲ信号を受信後、受信側ファクシミリ装置１０ｂに対して、画像のデータ（ＰＩＸ）を１ページ分ずつ送信する。
全ての符号化データの送信が終了すると、受信側ファクシミリ装置１０ｂに手順終了信号（ＰＰＳ−ＥＯＰ）を送信する。
全ページ分の画像のデータを受信したことを受信側ファクシミリ装置１０ｂが確認すれば、メッセージ確認信号（ＭＣＦ：Message Confirmation Signal）が受信側ファクシミリ装置１０ｂから送信側ファクシミリ装置１０ａに返信される。
【００６１】
最後に、切断命令信号ＤＣＮ（Disconnect signal）が送信側ファクシミリ装置１０ａから送信されて受信側ファクシミリ装置１０ｂで受信されると、ファクシミリ通信が終了する。
【００６２】
この様な各信号およびデータを送受するための制御は、送信側ファクシミリ装置１０ａおよび受信側ファクシミリ装置１０ｂのいずれにおいてもＣＰＵ７０によって行われる。
【００６３】
上記通信手順は、ＩＴＵ−Ｔ勧告Ｖ．２１に規定される手順であったが、ＩＴＵ−Ｔ勧告Ｖ．８に規定される手順でも通信（スーパーＧ３通信）してもよい。
たとえば、送信側ファクシミリ装置１０ａと受信側ファクシミリ装置１０ｂが、スーパーＧ３対応とする。
その場合は、送信側ファクシミリ装置１０ａからＣＮＧ信号が受信側ファクシミリ装置１０ｂに送信されると、受信側ファクシミリ装置１０ｂはＡＮＳａｍ信号を送信し、送信側ファクシミリ装置１０ａがＡＮＳａｍ信号を受信することで、Ｖ．８手順が開始される。
従って、電力供給情報はそれ以降に送信される。
【００６４】
また、送信側ファクシミリ装置１０ａおよび受信側ファクシミリ装置１０ｂの一方がＧ３対応で、他方がスーパーＧ３の対応の場合もあり、そのときはＶ．２１対応であることを示す信号を相手に送り、Ｇ３通信が行われる。
この場合には、停電信号は、Ｖ．２１対応であることを示す信号が送信され、Ｇ３通信が開始されてから送信される。
【００６５】
続いて、この発明の第１実施形態に係る送信側ファクシミリ装置１０ａの画面遷移処理の流れを図５のフローチャートを用いて説明する。
図５は、図１の送信側ファクシミリ装置１０ａの画面遷移処理の一例を示すフローチャートである。
【００６６】
なお、操作パネル７８上の短縮宛先キーには、送信したい宛先の名前とファックス番号が登録済みであるものとする。
【００６７】
第１実施形態において、短縮番号００１には、名称「小学校」/検索用文字「ショウガッコウ」/電話番号「０１２３４５６７８９０」の単一宛先を登録済みであるものとする。
また、短縮番号００２には、名称「シャープグループ」/検索用文字「シャープグループ」/電話番号「０９８７６５４３２１０および０４３２１０９８７６５」のグループ宛先を登録済みであるものとする。
短縮番号００３には、名称「総務省」/検索用文字「ソウムショウ」/電話番号「０５５５５５５５５５５」の単一宛先を登録済みであるものとする。
【００６８】
また、操作パネル７８上のモード変更キーを用いて、動作モードはＦＡＸモードに設定済みとする。
【００６９】
図５のステップＳ１１において、ユーザーは、送信側ファクシミリ装置１０ａのスキャナ部５５上の原稿台に、相手先に送信したい原稿をセットする（ステップＳ１１）。
【００７０】
次に、ステップＳ１２において、制御部５０は、ファクシミリ送信に使用される各種設定を表示パネル８０のＬＣＤに表示させる（ステップＳ１２）。
【００７１】
図５の例では、「送信出来ます。」というメッセージとともに、読み込み画像の倍率(「１００％」設定)、送信設定（相手機に接続してから原稿読み込みを開始し、送信データを作成しながら通信する「直接」送信設定）、サイズ検知設定（「自動」サイズ検知設定）、実際の送信サイズ（「Ａ４」サイズ設定）、送信解像度（８画素／ｍｍ×３．８５本／ｍｍに相当する「普通字」設定）が表示されている。
【００７２】
ここで、ユーザーは、操作パネル７８上のキーを用いて送信先を指示する。
現在、市場に存在する一般的なファクシミリ装置では、テンキーを用いて入力するダイヤル番号、［短縮］キーを用いて入力する短縮ダイヤル番号、［アドレス帳］キーを用いて選択するアドレス帳検索などが利用可能である。
ここでは、［アドレス帳］キーおよび［短縮］キーを使用した場合の処理を図示する。
【００７３】
ステップＳ１２において、ユーザーが操作パネル７８上の［アドレス帳］キーを押下すると、制御部５０は、表示パネル８０に検索文字入力画面を表示させる（ステップＳ１３）。
【００７４】
ステップＳ１３において、ユーザーが検索文字としてカタカナの「シ」をテンキーで入力すると、制御部５０は、ＨＤＤ５２上に保存されているアドレス帳データを検索し、検索文字が「シャープグループ」であるグループ番号００２の内容が上位に表示される（ステップＳ１４）。
図５の例では、検索文字が「シ」で始まる宛先が降順で一覧表示されており、先頭の「シャープグループ」にカーソルがある状態となっている。
【００７５】
次に、ユーザーが操作パネル７８上の［ＯＫ］キーを押下すると、「シャープグループ」が選択されるが、グループ宛先と直接送信設定は共存できないため、ステップＳ１５において、送信設定を直接送信からメモリ送信に変更するよう促すエラーメッセージが表示される（ステップＳ１５）。
【００７６】
その後、予め定められた時間の経過後、制御部５０は、表示パネル８０にステップＳ１４の画面を表示させる（ステップＳ１４）。
【００７７】
ステップＳ１４に示すように、「シャープグループ」にカーソルがある表示において、ユーザーは、操作パネル７８上のカーソルキー（矢印キー）によって選択項目を遷移することができる。
【００７８】
例えば、ユーザーは、[↓]（下矢印）キーを押下することにより、ステップＳ１６に示すように、検索文字が「ショウガッコウ」である短縮番号００１の「小学校」を選択することもできる（ステップＳ１６）。
【００７９】
ここで、ユーザーが操作パネル７８上の［ＯＫ］キーを押下すると、「小学校」が選択され、ステップＳ１７において、制御部５０は、表示パネル８０に宛先の内容を表示させる（ステップＳ１７）。
【００８０】
図５の例では、短縮番号が００１であることと、名称「小学校」が表示されている。
ここで、ユーザーが操作パネル７８上の［スタート］キーを押下すれば、制御部５０は、「小学校」に対してファクシミリ送信を開始する。
【００８１】
一方、ステップＳ１６において、ユーザーが［スタート］キーではなく、［Ｃ］キーを押下すれば、制御部５０は、表示パネル８０にステップＳ１２の初期画面に表示させる（ステップＳ１２）。
【００８２】
なお、ステップＳ１４において、ユーザーが［Ｃ］キーを押下すれば、制御部５０は、表示パネル８０にステップＳ１２の初期画面を表示させる（ステップＳ１２）。
【００８３】
次に、ステップＳ１２において、ユーザーが短縮宛先を選択した場合を説明する。
【００８４】
ステップＳ１２でユーザーが操作パネル７８上の［短縮］キーを押下すると、制御部５０は、表示パネル８０に短縮番号入力画面を表示させる（ステップＳ１８）。
【００８５】
ここで、ユーザーは、送信したい宛先の短縮番号をテンキーで入力する。
【００８６】
ステップＳ１８において、ユーザーが「００１」と入力すると、短縮番号００１が選択され、ステップＳ１７において、制御部５０は、その内容を表示パネル８０上に表示させる（ステップＳ１７）。
以降の動作は、アドレス帳選択で「小学校」を選択した場合と同一となる。
【００８７】
一方、ステップＳ１８において「００２」と入力すると、短縮番号００２が選択されるが、登録内容であるグループ宛先は直接送信設定と共存できないため、制御部５０は、ステップＳ１５において、送信設定をメモリ送信に変更するように促すエラーメッセージを表示パネル８０のＬＣＤ上に表示させる（ステップＳ１５）。
【００８８】
ここで、第１実施形態においては、予め定められた時間が経過すると、制御部５０は、表示パネル８０にエラーとなった宛先の内容が判断しやすいステップＳ１４のアドレス帳表示に遷移させる（ステップＳ１４）。
以降の動作は、アドレス帳選択で「シャープグループ」を表示した場合と同一となる。
【００８９】
一方、ステップＳ１７において、ユーザーが[スタート]キーを押下した場合、制御部５０は、スキャナ部５５による原稿読み取りを実行して公衆回線網３０に接続し、公衆回線網３０を経由して受信側ファクシミリ装置１０ｂに対してＦＡＸ送信を開始する。
【００９０】
その後、原稿画像の送信処理が完了すると、制御部５０は、回線を切断し、通信が完了したことを表示パネル８０のＬＣＤ上に表示してからステップＳ１２の初期画面を表示し（ステップＳ１２）、一連の処理を終了する（図５では記載を省略）。
【００９１】
このように、同時設定できない２つの送信設定がなされた場合、第１の送信設定（第１実施形態では、直接送信設定）に関するエラーメッセージの表示の後、制御部５０は、第２の送信設定（第１実施形態では、宛先設定）に関する設定変更が可能な画面（エラーの解除に関連する設定画面）に直接遷移させるため、エラーの原因が容易に確認でき、従来よりも少ない手順でエラーを解除できるファクシミリ装置１０を実現できる。
【００９２】
（第２実施形態）
次に、この発明の第２実施形態に係る送信側ファクシミリ装置１０ａの画面遷移処理の流れを図６のフローチャートを用いて説明する。
図６は、この発明の第２実施形態に係る送信側ファクシミリ装置１０ａの画面遷移処理の一例を示すフローチャートである。
【００９３】
第２実施形態に係る送信側ファクシミリ装置１０ａの構成は、第１実施形態と同様であるため、説明を省略する。
【００９４】
なお、第２実施形態において、Ｅメール送信用アドレス帳には、送信したい宛先の名前とＥメールアドレス、画像添付時に容量制限があるか否かが、登録済みであるものとする。
【００９５】
第２実施形態において、通し番号００１には、名称「山田様携帯」/検索用文字「ヤマダサマケイタイ」/Ｅメールアドレス「taro.yamada＠mobile.jp」/添付画像容量制限「あり」、通し番号００２は、名称「山田商店様」/検索用文字「ヤマダショウテンサマ」/Ｅメールアドレス「taro.yamada＠yamada.jp」/添付画像容量制限「なし」を登録済みであるものとする。
【００９６】
また、操作パネル７８上のモード変更キーを用いて、動作モードをスキャナモードに設定済みであるものとする。
【００９７】
図６のステップＳ５１において、ユーザーは、送信側ファクシミリ装置１０ａのスキャナ部５５上の原稿台に、相手先にＥメール添付送信したい原稿をセットする（ステップＳ５１）。
【００９８】
次に、ステップＳ５２において、制御部５０は、Ｅメール画像添付送信に使用される各種設定を表示パネル８０のＬＣＤ上に表示させる（ステップＳ５２）。
【００９９】
図６の例では、「｛宛先表｝：宛先を選択」というメッセージとともに、サイズ検知情報（「Ａ４」サイズ検知）、送信解像度（「４００dpi」設定）、画像データ圧縮率（「中圧縮」設定）が表示されている。
【０１００】
次に、ユーザーが操作パネル７８上の［アドレス帳］キーを押下すると、ステップＳ５３において、制御部５０は、表示パネル８０に宛先選択画面を表示させる（ステップＳ５３）。
【０１０１】
ここで、ユーザーは、操作パネル７８上のキーを用いて送信先を指示する。
現在、市場に存在する一般的なファクシミリ装置では、宛先選択画面にて、事前に登録しているアドレス帳から宛先を選択する「アドレス帳」、相手先のＥメールアドレスを直接手入力する「アドレス入力」、ネットワーク上のサーバーから情報を取得する「グローバルアドレス検索」、ＵＳＢメモリーデバイスから情報を取得する「ＵＳＢメモリーデバイス」などが選択できるものが多い。
ここでは、「アドレス帳」キーおよび「アドレス入力」キーを使用した場合の動作を図示する。
【０１０２】
ステップＳ５３において、「アドレス帳」が反転表示されている状態で、ユーザーが操作パネル７８上の［ＯＫ］キーを押下すると、制御部５０は、表示パネル８０をアドレス帳画面（宛先選択画面）に遷移させる（ステップＳ５４）。
【０１０３】
制御部５０は、ＨＤＤ５２上に保存されているアドレス帳データを検索し、一覧表示する。
図６の例では、登録済みのスキャナ送信宛先が、検索文字の降順で一覧表示されており、検索文字が「ヤマダサマケイタイ」である通し番号００１の「山田様携帯」にカーソルがある状態となっている。
【０１０４】
次に、ユーザーが操作パネル７８上の［ＯＫ］キーを押下すると、「山田様携帯」が選択されるが、Ａ４サイズ４００ｄｐｉ中圧縮の設定で画像を読み込んだ場合、添付画像の容量制限を超えるため、ステップＳ５５において、現状の設定では送信できないことを示すエラーメッセージが表示される（ステップＳ５５）。
【０１０５】
その後、予め定められた時間の経過後、制御部５０は、表示パネル８０をステップＳ５４の画面に遷移させる（ステップＳ５４）。
【０１０６】
なお、ステップＳ５４およびＳ５６において、ユーザーが［Ｃ］キーを押下すれば、制御部５０は、表示パネル８０にステップＳ５２の初期画面を表示させる（ステップＳ５２）。
【０１０７】
ステップＳ５４の例では、「山田様携帯」にカーソルがあるが、ユーザーは、操作パネル７８上のカーソルキー（矢印キー）によって選択項目を遷移することができる。
【０１０８】
例えば、ユーザーは、[↓]（下矢印）キーを押下することにより、ステップＳ５６に示すように、検索文字が「ヤマダショウテンサマ」である通し番号００２の「山田商店様」を選択することもできる（ステップＳ５６）。
【０１０９】
ここで、ユーザーが操作パネル７８上の［ＯＫ］キーを押下すると、「山田商店様」が選択され、ステップＳ６０において、制御部５０は、表示パネル８０に宛先の内容を表示させる（ステップＳ６０）。
【０１１０】
図６の例では、名称「山田商店様」であることと、登録されているＥメールアドレスが表示されている。
ここで、ユーザーが操作パネル７８上の［スタート］キーを押下すれば、制御部５０は、「山田商店様」に対してスキャンデータのＥメール添付送信を開始する。
【０１１１】
一方、ユーザーが［スタート］キーではなく、［Ｃ］キーを押下すれば、制御部５０は、表示パネル８０にステップＳ５２の初期画面を表示させる（ステップＳ５２）。
【０１１２】
次に、ステップＳ５３において、ユーザーがアドレス入力を選択した場合を説明する。
【０１１３】
ステップＳ５３において、ユーザーが操作パネル７８上の［↓］（下矢印）キーを押下し、［ＯＫ］キーを押下すると、制御部５０は、表示パネル８０をアドレス入力画面（宛先選択画面）に遷移させる（ステップＳ５８）。
【０１１４】
ここで、ユーザーは、送信したい宛先のＥメールアドレスをテンキーで入力する。
【０１１５】
ステップＳ５８において、ユーザーが「taro.yamada＠yamada.jp」と入力すると、内容が通し番号００２と一致するため、ステップＳ５９において、制御部５０は、通し番号００２の内容を表示パネル８０上に表示させる（ステップＳ５９）。
以降の動作は、アドレス帳選択で「山田商店様」を選択した場合と同一となる。
【０１１６】
ステップＳ５８において、ユーザーが「taro.yamada＠mobile.jp」と入力した場合、内容が通し番号００１と一致するため、ステップＳ６３において、制御部５０は、通し番号００１の内容を表示パネル８０上に表示させる（ステップＳ６３）。
【０１１７】
ここで、通し番号００１は、添付画像容量制限「あり」と設定されているため、ユーザーが［ＯＫ］キーを押下すると、ステップＳ５５において、制御部５０は、現状の設定では送信できないことを示すエラーメッセージを表示パネル８０のＬＣＤ上に表示させる（ステップＳ５５）。
以降の動作は、アドレス帳選択で「山田様携帯」を表示した場合と同一となる。
【０１１８】
一方、ステップＳ５８において、ユーザーが「hanako.yamada＠yamada.jp」と入力して、［ＯＫ］キーを押下した場合（ステップＳ６１）、アドレス帳には登録されていないアドレスのため、制御部５０は、当該入力内容がＥメールアドレスなのか、あるいはネットワーク上にある保存用フォルダのアドレスなのかを判断する。
【０１１９】
その結果、ステップＳ６２において、制御部５０は、Ｅメールアドレスであることを付与した送付先情報を表示パネル８０上に表示させる（ステップＳ６２）。
【０１２０】
ここで、ユーザーが操作パネル７８上の［スタート］キーを押下すれば、制御部５０は、「hanako.yamada＠yamada.jp」に対してスキャンデータのＥメール添付送信を開始する。
【０１２１】
一方、ユーザーが［スタート］キーではなく、［Ｃ］キーを押下すれば、制御部５０は、表示パネル８０にステップＳ５２の初期画面を表示させる（ステップＳ５２）。
【０１２２】
ステップＳ６０およびステップＳ６２において、ユーザーが[スタート]キーを押下した後、制御部５０は、スキャナ部５５による原稿読み取りを実行して画像処理部５６にてデータ圧縮されたものをＥメールに添付し、ＬＡＮ Ｉ／Ｆ６６を通してネットワーク２０上のメールサーバーに対してＥメール送信を開始する。
【０１２３】
その後、原稿画像の送信処理が完了すると、制御部５０は、送信処理が完了したことを表示パネル８０のＬＣＤ上に表示してからステップＳ５２の初期画面を表示し（ステップＳ５２）、一連の処理を終了する（図６では記載を省略）。
【０１２４】
このように、添付画像の容量制限により同時設定できない２つの送信設定がなされた場合、第１の送信設定（第２実施形態では、添付画像の容量制限設定）に関するエラーメッセージの表示の後、制御部５０は、第２の送信設定（第２実施形態では、宛先設定）に関する設定変更が可能な画面（エラーの解除に関連する設定画面）に直接遷移させるため、エラーの原因が容易に確認でき、従来よりも少ない手順でエラーを解除できるファクシミリ装置１０を実現できる。
【０１２５】
（第３実施形態）
次に、この発明の第３実施形態に係る送信側ファクシミリ装置１０ａについて説明する。
【０１２６】
第３実施形態に係る送信側ファクシミリ装置１０ａの構成は、第１実施形態と同様であるため、説明を省略する。
【０１２７】
第１実施形態において、ユーザーが短縮番号を入力した場合や、第２実施形態において、「taro.yamada＠mobile.jp」などのアドレスを入力した場合のように、ユーザーが設定しようとした入力内容が、実際の設定内容をすぐに想定できないような数字・文字・記号の組合せからなる場合がある。
【０１２８】
第３実施形態においては、送信設定時の入力内容が、実際の設定内容をすぐに想定できないような数字・文字・記号の組合せからなる場合、入力後にエラーが生じたとしても、ユーザーは、入力内容からどのようなエラーが生じたのか連想することが困難である。
【０１２９】
そこで、制御部５０は、予め定められた基準にしたがって、送信設定時の入力内容が、実際の設定内容をすぐに想定できないような数字・文字・記号の組合せからなるか否かを判定する。
【０１３０】
具体的には、制御部５０は、ユーザーが設定した入力内容が、例えば、電話番号、ＦＡＸ番号、Ｅメールアドレス、ＩＰアドレスまたはＵＲＬを含む場合、実際の設定内容をすぐに想定できないような数字・文字・記号の組合せからなるものと判定する。
【０１３１】
制御部５０は、このような組合せに該当すると判定した場合に、第２の送信に関する設定前の画面に遷移させずに、第２の送信設定に関する設定変更が可能な画面（エラーの解除に関連する設定画面）に直接遷移させる。
【０１３２】
一方、未登録の短縮番号の入力や宛先の未入力、不適切な用紙のサイズ設定など、送信設定時の入力内容が、実際の設定内容をすぐに想定できるような入力内容であると制御部５０が判定した場合は、送信に関する設定前の画面に遷移させるものとする。
【０１３３】
このように、ユーザーが必要とする場合にかぎり、エラーとなった宛先の内容が判断しやすいアドレス帳表示に直接遷移させるファクシミリ装置１０を実現できる。
【０１３４】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１３５】
１：通信システム、    １０，１０ａ，１０ｂ，１０ｃ：ファクシミリ装置、    ２０：ネットワーク、    ３０：公衆回線網、    ５０：制御部、    ５２：ＨＤＤ、    ５４：操作部、    ５５：スキャナ部、    ５６：画像処理部、    ５７：画像メモリ、    ５８：画像形成部、    ５９：送信設定部、    ６０：回線制御部、    ６２：モデム、    ６４：ＣＩ検出部、    ６６：ＬＡＮ  Ｉ／Ｆ、    ６７：電源制御部、    ６８：外部電源、    ７０：ＣＰＵ、    ７２：ＲＯＭ、    ７４：ＲＡＭ、    ７６：ＢＵＳライン、    ７８：操作パネル、    ８０：表示パネル
【図１】
2020195111.tif 000003
【図２】
2020195111.tif 000004
【図３】
2020195111.tif 000005
【図４】
2020195111.tif 000006
【図５】
2020195111.tif 000007
【図６】
2020195111.tif 000008